Podtech/llm-jp-corpus-v4-ja_patent huggingface dataset:
(57)【要約】【課題】  雨の時、暗くなって傘を開くと得に目視では見えにくくなるので、事故など起きやすくなる。本発明は、傘の先（露先）に灯（ＬＥＤ）が点灯・点滅する為に傘の先が良く見えるので歩いて傘を差している人に注意して、人・車・自転車等が安心して通る事が出来る。【解決手段】  本発明は、暗くなっても明暗センサにより傘の先、図４露先１（ＬＥＤ付ブラケット）が灯り点滅する為に、傘の先が良く見えるので安全である。【選択図】図１
2011083578.tif 000002
【特許請求の範囲】
【請求項１】
傘の先（露先）がアクリル樹脂でＬＥＤ付ブラケット型図４になり、暗くなると灯（ＬＥＤ）が点灯・点滅する。
【請求項２】
前記露先灯（ＬＥＤ付）が点灯する為には、傾斜・上下センサスイッチ図５で端子Ｃ接点（銅板）とＡ接点（銅板）と球（ボール）は金メッキとする。
球（ボール）は傾斜しながら上下に動き、Ｃ接点とＡ接点に球（ボール）が接触しＣ−Ａ間はＯＮになる。
球（ボール）が９０度以下に傾くとＯＦＦとなる。
明暗光センサスイッチ図３の１１、１２の特徴（透明アクリル棒は、光ファイバーと同じ様に光を通過する。透明アクリル棒の上面部は、手元の上に位置し又長いのでフォトダイオード光センサに外乱光（ヘッドライト等）などに影響を受けない。）
二種類のセンサスイッチにより自動検知して灯がつく。
【請求項３】
傘の親骨４は、図２の様に金属プレス加工する。
【請求項４】
全ての制御装置（センサ類含む）が、傘の手元（本体）に収納している。
【発明の詳細な説明】
【技術分野】
【０００１】本発明は、雨の時暗くなると、傘の先（露先）が灯り、傾斜・上下センサと明暗センサにより光り輝き（点滅）する。
明るい時は点灯しない。  傘を閉じて下向きにすると傾斜・上下センサにより全ての電源が切れる。  全自動で制御する安全・安心傘となる。
【背景技術】
【０００２】従来の傘では、傘の先（露先）に、灯り（ＬＥＤ付）がない。
【発明の概要】
【発明が解決しようとする課題】
【０００３】雨の時に、薄暗くなって傘を開いて歩いていると、前後左右から人、車、単車、自転車等が傘の先にあたり傘を飛ばされ人が転んで大きな事故になっている。（新聞、テレビ等）信号機の有る横断歩道でも右折、左折の車は、暗くなると雨の日は特に見えにくくなる。
本発明は安全・安心傘は、この課題を解決する物である。
【課題を解決するための手段】
【０００４】雨の日傘を開いて一番事故の多いのは、暗くなり人も傘も見えにくくなる。
傘を開くと大きく円となり人の３倍の幅（直径）になり、注意する所は傘の幅（直径）の先（露先）である。
本発明は、露先に灯（ＬＥＤ付）が明るく点滅しているので他の人、車、単車、自転車等に、良く見えるので安全・安心傘となる。
【発明の効果】
【０００５】本発明傘は、傾斜・上下センサスイッチと明暗センサスイッチと制御装置により、全自動で露先が灯り（ＬＥＤ付）点滅するため、雨の日暗くなっても安全・安心である。
【図面の簡単な説明】
【０００６】
【図１】本発明の正面図である。
【図２】本発明の露先１（灯、ＬＥＤ付）を取り付ける親骨４と受骨６の斜視図である。
【図３】本発明の手元（本体）２の断面図である。
【図４】本発明の露先１（灯、ＬＥＤ付）の断面図である。
【図５】本発明の傾斜・上下センサスイッチ１２の断面図である。
【発明を実施するための形態】
【０００７】以下本発明の実施の形態について説明する。
図面１は、本発明の傘の全体図である。  従来の傘と同じ所（部材）等の図面及び説明は省略する。
図２の親骨４は溝地金を金属プレス加工により、パイプ型（カシメ）にする。
４Ａ・４Ｃはパイプ型（カシメ）、４Ｂ・４Ｄは元の溝地金Ｕ字型で良い。
４Ｂは、露先（ＬＥＤ）の接続及び取替え出来る中継場所とする。
受骨６は親骨４の外側より取付ける。  従来の親骨は、溝地金か丸線（棒）のみで、パイプ型（カシメ含む）穴の開いている親骨はなかった。  露先（灯、ＬＥＤ）を点灯するのに必要なリード線を通す為に穴（パイプ型）となる。
【０００８】本発明の安全・安心傘の露先（灯、ＬＥＤ）を点灯する為の経路（動作）について図面により説明する。
外観も従来の傘と同じで使い方も同じで良い。
雨が降って傘を開き、薄暗くなると手元（本体）２の制御装置で電池１４→傾斜・上下センサスイッチ１０→アクリル棒１１→明暗センサスイッチ１２→基板２制御回路からリード線が、中棒５を通り上ろくろ（ノッチ）から、親骨４の４Ｄ→４Ｃ→４Ｂで露先灯（ＬＥＤ付）ソケット１を接続すると、本発明全自動灯（ＬＥＤ付）安全・安心傘の先（露先１）が光り点滅する。  明るいと雨が降っても点灯しない。
【０００９】雨がやみ、傘を閉じて従来の傘と同じように手元２を上にして石突３を下にすると、全ての電源は切れる。
本発明の傘は利用者が従来の傘と同じように使用出来る。
【符号の説明】
【００１０】１  露先（チップ）灯（ＬＥＤ）付ソケット
２  手元（ハンドル）本体（全制御装置）
３  石突き（トップ）
４  親骨（リブ）
５  中棒（シャフト）
６  受骨（ストレッチャー）
７  全制御装置本体
８  手元カバー（ネジにより取り外し可能）
９  中棒取付け穴
１０  傾斜・上下センサスイッチ
１１  透明アクリル棒（長いので１２のフォトダイオードに他の外乱光が受けにくい）
１２  基板１明暗センサ（フォトダイオード）
１３  基板２（制御回路）
１４  電池（ボタン）ホルダー
１５  露先（アクリル樹脂）
１６  ＬＥＤ（発光ダイオード、青・赤・黄・緑・その他）
１７  導通パイプ
１８  絶縁チューブ
１９  ＬＥＤ（発光ダイオード）リード線＋極性
２０  ＬＥＤ（発光ダイオード）リード線−極性（傘骨は全てＧＮＤとする）
【図１】
2011083578.tif 000003
【図２】
2011083578.tif 000004
【図３】
2011083578.tif 000005
【図４】
2011083578.tif 000006
【図５】
2011083578.tif 000007
(57)【要約】【課題】  従来の足元コタツは寝床の足元で使用され下半身を暖める事が出来るが上半身まで暖める事が出来なかった。特に冷え込んだり厳しい寒波等の時、肩等が冷え込み風邪引きの原因となった。又、従来の電気毛布は全身を発熱体で暖めるため自然な眠りに違和感を感じる満足の出来るものではなかった。【解決手段】  従来の足元コタツより、ぐんと温度の低い低温度上半身電気コタツを使用する。低温度上半身電気コタツで暖められた空気がエアーカーテン機能の役目もして肩、首筋、背中、胸等を一晩中ホットに暖めることが出来る。電気毛布は低温度上半身電気コタツと同様にコタツ理論を応用した電気毛布であるので従来の欠点を解決する事が出来る。【選択図】図１
2011083576.tif 000002
【特許請求の範囲】
【請求項１】
寝床内で使用する従来の足元コタツより低温度にしたエアーカーテン機能を有する低温度上半身コタツ。
【請求項２】
上部低温度上半身電気毛布と下部足元電気毛布と中央部が電気毛布でない部分の３部分に分けられた電気毛布。
【発明の詳細な説明】
【技術分野】
【０００１】  本発明は従来の足元電気コタツ（アンカ）よりぐんと温度の低い低温度上半身電気コタツ（アンカ）及び電気毛布に関するものである。
【背景技術】
【０００２】  従来の足元電気コタツ（アンカ）は寝床の足元で使用するため温度が高く上半身に使用すると温度が高く熱すぎて使用する事が出来なかった。
【特許文献１】  特許公開  平０６−１３２０６９
【発明の開示】
【発明が解決しようとする課題】
【０００３】  これは次のような問題点があった。
冬、寝床内の中で使用する電気コタツ（アンカ）は従来足元を暖める目的で使用された。
従って下半身を暖める事が出来るが上半身まで足元電気コタツの暖かさが充分全身に行きわたらなかった。特に冷え込んだり、寒波等が長く居座ったりした時、上半身の肩元、首筋、胸元、背中等が冷え込み風邪引きの原因ともなった。
又、従来の電気掛敷毛布（発熱体）は全身を発熱体で暖める為、朝目覚めた時異常に喉が渇いていたり、自然な眠りに違和感を感じる満足の出来るものではなかった。
本発明は以上のような欠点を解決することを目的とするものである。
【課題を解決するための手段】
【０００４】  本発明は上記目的を達成するために上半身に適した低温度上半身電気コタツ（例えば肩元ホット、背中ホット、首筋ホット、胸元ホット）を使用する。
低温度上半身電気コタツから暖められた空気が肩、首筋、背中、胸と一晩中ホットなやさしい暖かな空気が身体を包み込み寝床内温度を快適に保つ。と同時に低温度上半身電気コタツは暖かな空気でエアーカーテンの役目もする。エアーカーテン機能の役目もしているので暖かな空気が逃げる事なく低温度上半身電気コタツはホットな暖かな空気で全身を暖める事が出来る。電気毛布に於いて低温度上半身電気コタツ同様に図２、低温度上半身電気毛布、と足元コタツの置かれた下部部分を足元電気毛布にする。
即ち上部低温度上半身電気毛布と下部足元電気毛布と中央部が電気毛布でない部分の３部分に分けられた中抜き電気毛布が出来る。中抜き電気毛布は日本初、世界初の新発想による電気毛布の常識を覆した電気毛布である。電気毛布の電源コントローラーによって温度を調節し上部と下部の電源を同時に「入」るにする事も出来るし、上部、下部のどちらかを「入切」にする事で寒さに応じた操作が出来る。
【発明の効果】
【０００５】  特に冷え症の方、寒がりな方等は低温度上半身電気コタツと従来の足元電気コタツを併用する事が出来る。併用する事で足元電気コタツ＋（プラス）低温度上半身電気コタツの暖かさは寒波にも対応する事が出来る。長く居座る厳しい寒波でも、その効能効果のイメージは「フトンの中にもぐり込めば、そこは南国、夢の国  南の国のパラダイス、お外はヒューヒュー猛烈寒波でもお家のフトンは暖かい子供も大人も大はしゃぎ、青いお空いっぱいに太陽輝きサンサンと地上の楽園南国パラダイス、フトンに入れば夢心地、いつしか眠りに誘われて夢は南国パラダイス。」以上の如く５年余り使用するが使用効果は暖かく快適である。  寒波だけに限らず通常の冬の寒さにも快適な暖かさは朝目覚めた時身体全身が暖かく快適に目覚める事が出来る。
コタツ派だけに限らずエアコン暖房派にも低温度上半身コタツは厳しい寒さ長く居座る寒波等には絶大な効果を発揮するのである。
又、電気毛布は従来の電気毛布と違って中央部が電気毛布でないので下部足元電気毛布は従来の足元電気コタツ同様に高温度にする事が出来る。足元が熱く感じれば中央部（電気毛布でない部分）に足を移動する事が出来る。下部足元電気毛布で下半身が暖められ上部低温度上半身電気毛布で上半身が暖められるから全身が暖められる。このようにコタツ理論に従えば上部と下部で全身が暖められる事になる。全面電気毛布にしなくてもよいのである。従って従来の電気毛布と基本構造が異なり発想も異なる。長時間肌に触れて低温火傷をする可能性のある全面電気毛布にする必要はないのである。
低温火傷は火傷をするとはとても考えられない低い温度、例えば体温より少し高い温度でも長時間皮膚が触れている事により発生する。皮膚の表面だけが損傷する普通の火傷と症状も異なり、皮膚の深部の組織まで損傷するので、そのため症状は重く、治療も長引く事になる。電気毛布でない部分があって初めて人間に正常な有害でない暖房器具と成り得るのである。
従来の電気毛布はインターネット上にもあるように消費者の根強い使用感の不満（欠点）があった。コタツ理論を応用した電気毛布であるので従来の電気毛布の欠点を解決する事ができる。
【発明を実施するための最良の形態】
【０００６】  従来の足元電気コタツと低温度上半身電気コタツの使用を間違わないように上半身電気コタツの形状を図１のように間違い防止の為少し変える。又は低温度上半身電気コタツに間違い防止の為の分かりやすい表示（例えば肩ホット、背中ホット、首筋ホット、胸ホット、上半身ホット等〉をする。
電気毛布に於いて図３のように電気敷毛布の体圧のかかる部分を電気毛布でない部分にする。同様に電気掛毛布の直接肌に触れる部分を電気毛布でない部分にする事が出来る。
この様にすれば電気毛布に直接肌が触れる事がなくなり低温火傷の心配がなくなる。
図３の電気毛布の形状は色々な使用しやすく暖かさが効果的な形状にする事が出来る。
【図面の簡単な説明】
【０００７】
【図１】  本発明の低温度上半身電気コタツの間違い防止の為の形状を変えた低温度上半身電気コタツ及び表示をしたもの。
【図２】  上部電気毛布と下部電気毛布と中央部電気毛布でない部分の３部分に分けられた電気毛布。
【図３】  直接肌に触れる部分を電気毛布でない部分にした電気毛布、形状を色々な使用しやすい暖かさが効果的な形状にする事が出来る電気毛布。
【符号の説明】
【０００８】  １  上部低温度上半身電気毛布
２  下部足元電気毛布
３  中央部電気毛布でない部分
【図１】
2011083576.tif 000003
【図２】
2011083576.tif 000004
【図３】
2011083576.tif 000005
(57)【要約】【課題】団扇の杷手を軸とし扇面を自分に向けて往復運動させることによりその遠心力を利用して扇面に設けた水を入れた袋から顔面等に風と共に微水滴を放出させてその気化熱により冷風を感じることができる団扇を提供する。【解決手段】チャック付き袋において、先端部を切開し、複数の融着線を間隔を開けて付け、外の融着線には多数のピンホールを、内の融着線には１つのピンホール設けて団扇に固着する。【選択図】図１
2011083572.tif 000002
【特許請求の範囲】
【請求項１】
チャック付き袋において、先端部を切開し、複数の融着線を間隔を開けて付け、外の融着線には多数のピンホールを内の融着線には１つのピンホール設けて団扇に固着したことを特徴とする微水滴を振り出す団扇。
【請求項２】
融着線と融着線の間に不織布を挿入した前掲請求項１記載の微水滴を振り出す団扇。
【発明の詳細な説明】
【技術分野】
【０００１】本発明は、団扇に関し特に冷風を向上させた団扇に関する。
【背景技術】
【０００２】団扇は杷手の先に放射状の骨材を配置し、その表面に紙を貼って作った簡易な送風具である。これは杷手の部分を軸とし扇面を自分に向けて往復運動させることにより涼をとることができる。【０００３】古来より使用されている団扇は簡易ながら容易に手軽に涼をとることができる送風具として今尚広く利用されている。その為改良の余地が乏しく種々の改良が見られるが決定的な改良が見ることができなかった。
【先行技術文献】
【０００４】  例えば特許公開２００１−１２８７１７の（冷風団扇）は団扇の骨に貼付した湿性の布の端部を中空にした柄の中の水に浸し濡れた扇面で扇ぐ方式のもので冷風はともかく常に濡れており不使用の場合保管方法に問題がある。特許公開２００３−２５０６１７の（保冷剤を充填した団扇）は団扇に保冷剤を充填して冷凍庫にて凍らせて使用するもので冷風は考えられるが常時冷凍庫の使用が患わしく問題があると考えられる。。
【特許文献１】特開２００１−１２８７１７公報第１頁、第１図
【特許文献１】特開２００３−２５０６１７公報第１頁、第１図
【発明の概要】
【発明が解決しようとする課題】
【０００５】本発明は団扇は杷手の先に放射状の骨材を配置し、その表面に紙を貼付した簡易な送風具において、これは杷手の部分を軸とし扇面を自分に向けて往復運動させることにより顔面等に風と共に微水滴を放出させてその気化熱により冷風を感じる団扇を提供する。
【課題を解決しようとする手段】
【０００６】本発明は上記した目的を達成するため、［請求項１］はチャック付き袋において、これは先端部を切開し、複数の融着線を間隔を開けて付け、外の融着線には多数のピンホールを内の融着線には１つのピンホール設けて団扇に固着する。
［請求項２］は融着線と融着線の間に不織布を挿入する。
【０００７】
【発明の効果】
【０００８】本発明は上記の如く非常に簡単な構成で通常の扇動動作では通常の送風状態であるが、扇動動作をより強く又より早くの強弱、遅速により遠心力を変化させて微水滴の質量をコントロールすることができるので、その遠心力と気化熱を効率良く利用し従来にない心地よき冷気を感る発明品で、特に湯上がりや野外の野球観戦時等には威力を発揮する。
【図面の簡単な説明】
【図１】団扇に固着した［請求項１］のチャック付き袋の斜視図
【図２】［請求項２］の不織布を挿入したチャック付き袋の斜視図
【発明を実施するための形態】
【０００９】  以下、図面を参照して本発明の実施するための形態を説明する。
図１は［請求項１］の団扇に固着した微水滴を振り出すチャック付き袋の斜視図で直接団扇紙面に貼付している。チャック付き袋１は先端部を切開している、３は外の融着線で約５ｍｍの間隔を開けて内の融着線４を付けている。５はピンホールで外の融着線には多数、内の融着線には１つ設けている。
図２は［請求項２］のチャック付き袋で６は不織布で水はけの良い目の細かいものを使用して融着線と融着線の間に入れて膨らみをもたせピンホールを増やす場合には直接手芸のビーズ用の極細の針先で開けることができるようにしている。
【００１０】上記した本発明にかかる団扇に固着した袋のチャック部２から少量の水を注入し通常の扇動動作では通常の送風のみの状態であるが、扇動動作をより強く又より早くの強弱、遅速により遠心力が変化することができるので、遠心力を強くした場合は袋内の水は内の融着線まで押し上げられピンホールから振り出されることとなり一定の量に達すると外の融着線に設けた多数のピンホールから扇外に振り出されることとなる。この場合融着線と融着線との間隔は約５ｍｍでこの水域は遠心力がかなり弱く多数のピンホールからの水滴は微小化されて顔に降り掛かり冷たく感じても濡れることもない。顔面にかかった微水滴は体温と扇面の扇ぎ出す風により直ぐに乾きその気化熱により一層の冷気を感じることとなる。
【００１１】なお、この微水滴を振り出すチャック付き袋を団扇の骨と紙の間に貼り付けても良く非常に薄く嵩張らないので違和感が感じることはない。
【００１２】  以上本発明は上記実施の形態に限定されるものではなく、本発明の要旨を逸脱しない範囲で適宜変更があっても本発明に含まれる。例えばチャック部を管状の栓方式も含まれる。
【符号の説明】
【００１３】  １      袋本体
２      チャック部
３      外の融着線
４      内の融着線
５      ピンホール
６      不織布
Ａ      団扇
【図１】
2011083572.tif 000003
【図２】
2011083572.tif 000004
【手続補正書】
【提出日】平成21年12月8日(2009.12.8)
【手続補正１】
【補正対象書類名】明細書
【補正対象項目名】００１１
【補正方法】変更
【補正の内容】
【００１１】なお、微水滴はピンホールの大きさ、数、融着線と融着線との間隔、等の組み合わせで使用目的により調節できるので窓ガラス拭き用や寿司めし用の酢を振り出す団扇などいろいろの使用方法がある。
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
チャック付き袋において、先端部を切開し複数の融着線を約５ｍｍの間隔を開けて平行に融着し、極細の針穴サイズのピンホールを外の融着線には多数、内の融着線には１つ設けて団扇に固着したことを特徴とする微水滴を振り出す団扇
【請求項２】
融着線と融着線との間に不織布を挿入して膨らませたことを特徴とする前掲請求項１記載の微水滴を振り出す団扇。
【手続補正２】
【補正対象書類名】明細書
【補正対象項目名】００１１
【補正方法】削除
【補正の内容】
(57)【要約】【課題】  本発明は乳幼児用粉ミルクを簡単に計量することを特徴とするスプーンを提供する。【解決手段】  スプーンの柄の部分を注射器のような筒状にし、筒内部の押子をミルク必要量の目盛りに合わせることで簡単に必要量のミルクを計量できることを特徴とする乳幼児用粉ミルクの計量スプーン。【選択図】図２
2011083571.tif 000002
【特許請求の範囲】
【請求項１】
先端部がスプーン状になっている筒状の計量部の内部に押子を摺動自在に装着し、計量部の上面に目盛りを設けたことを特徴とする計量スプーン。
【発明の詳細な説明】
【技術分野】
【０００１】  本発明は、乳幼児用の粉ミルクを簡単に計量することのできる粉ミルクスプーンに関するものである。
【背景技術】
【０００２】  従来、ミルク缶から乳幼児用粉ミルクを計るには、すり切り１さじあたり約２．６グラム（仕上がり量２０ｍｌ相当）を計量できる付属の計量スプーンを使用していた。それ以上の仕上がり量が必要な場合は同計量スプーンで２さじ、３さじと回数を増やして計るしかなかった。
【発明の開示】
【発明が解決しようとする課題】
【０００３】  そのため、例えば仕上がり量が２００ｍｌのミルクを作る場合は計量スプーンで１０回計らなければならず、手間となっていた。
本発明はこの問題点を解決しようとするものである。
【課題を解決するための手段】
【０００４】  本発明は、先端部がスプーン状になっている筒状の計量部の内部に押子を摺動自在に装着し、計量部の上面に目盛りを設けたことを特徴とする計量スプーンである。
【発明の効果】
【０００５】  これまで例えば仕上がり量２００ｍｌのミルクを作る場合、付属の計量スプーンで１０回計量しなければならなかったが、本発明を使用すれば、２回で済む。これによって夜中や泣く子供をあやしながらの調乳がスムーズ行える。多くの母親が調乳の際、これが何さじ目だったか分からなくなるという経験をしているが、本発明を使用すればそのような不具合を解消できる。
【発明を実施するための最良の形態】
【０００６】  本発明は２つの部品から構成されており、大まかには太い注射器の先端にスプーンが取り付けてあるような形状をしている。１つは注射器でいう外側の筒状の部品で片端にスプーンのような開口部が取り付けてある部品、もう一つは一回り径の小さい筒状で注射器でいう押子のような部品である。
スプーン部分は計量時にすりきりができるように上部が平らになっている。市販のミルク缶は、上部が一部塞がれており、スプーンのすりきりができるようになっているが、その部分の最長が約４ｃｍなので、本発明におけるスプーン部の長さはそれ以下でなければならない。また、筒の断面は円状でも四角状でもよいが、哺乳瓶に粉ミルクをこぼさずに移せるよう、哺乳瓶の口のよりも小さくなければならない。材質については、筒内に隙間なく粉ミルクが入っているか確認しやすいよう透明のプラスチック樹脂もしくはガラス製とする。
外側の部品には粉ミルクを計量する目盛りをつける。両者には例えば小さな突起などをつけ、粉ミルクをすくう際には突起によって部品同士が動かないような構造にする。
これら部品は簡単に洗浄できるよう取り外せるようにすると衛生的である。
【図面の簡単な説明】
【０００７】
【図１】本発明の部品図
【図２】本発明の使用状態を示す斜視図
【符号の説明】
【０００８】  １．  計量部
２．  押子
３．  目盛
４．  スプーン
【図１】
2011083571.tif 000003
【図２】
2011083571.tif 000004
(57)【要約】【課題】  電気掃除機の吸込具に巻着することで、吸込口に布地が吸い付くことなく付着物を除去し、さらに、布の表面をスムーズに移動できるようにした吸引掃除機における吸込具の布類掃除用アタッチメントを提供する。【解決手段】  本発明は、電気掃除機の吸込具（３）に対して、その吸込口の部分を覆うように巻着する布類掃除用アタッチメント（１）であって、柔軟性を有するシート材からなりシート中央部（１ａ）の巻着方向に縦長の孔（７）を並列し、シートの両端部（１ｂ）に着脱自在とするための係止具（５，６）を設け、シート体を吸込具（３）に巻着して各種布製品を掃除すると、吸引力を極力損なうことなく、布地の吸い込みを防ぎ、布類の表面全体の掃除を確実に簡単に行える。【選択図】図１
2011083577.tif 000002
【特許請求の範囲】
【請求項１】
掃除機の吸込具に対して、その吸込口の部分を覆うように巻着して使用するシート状の布類掃除用アタッチメントであって、柔軟性を有するシート材からなり巻着方向に縦長の孔を並列したシート中央部と吸込具に対して着脱自在な係止部を形成したシート両端部で構成されていることを特徴とする吸引掃除機における吸込具の布類掃除用アタッチメント。
【請求項２】
前記シート中央部は、吸込口を覆う範囲に巻着方向に対して縦長の幅１ｃｍ位の孔を並列していることを特徴とする吸引掃除機における吸込具の布類掃除用アタッチメント。
【請求項３】
前記シート両端部は、吸込具に巻着した状態で吸込具の上側に位置して重なり合う構成とし、対向面に一対の係止具が設けられ、上記両シートの端縁部中央部が吸込管の接続部分を逃がすための凹欠部を形成していることを特徴とする吸引掃除機における吸込具の布類掃除用アタッチメント。
【発明の詳細な説明】
【技術分野】
【０００１】  本発明は、布団やシーツ、カーテン等の各種布製品に対して、吸引掃除機によりダニの死骸や花粉などの付着物が吸引除去できるようにする吸込具の布類掃除用アタッチメントに関する。
【背景技術】
【０００２】  布団やシーツ、カーテン等の各種布製品においては、埃やダニや花粉が付着し易く、これらの付着物は各種アレルギー等の原因になっており、従って清潔を保つことで疾病の発生を未然に防ぐ必要がある。【０００３】  上記のような各種布製品の付着物を除去する方法としては、電気掃除機を用い、吸込具で吸引除去するか、布団専用の吸引掃除機ノズルを交換して行っていた。【０００４】  又、このような掃除機の吸込具を交換する方法に代わる手軽で安価な手段として吸込具に巻着することで布地と吸込口に隙間を確保し布地の吸い込みを防ぐネット形状のシート体を用いた布類掃除用アタッチメントを使用している。
【発明の概要】
【発明が解決しようとする課題】  しかしながら、巻着して使用する従来のネット形状の布類掃除用アタッチメントは吸込口と布類表面との隙間を保持する構造に重点が置かれているため、掃除機の吸引力が減少し、吸込具との密着性が確保出来にくいため移動時にずれ易く、布団のダニ等の付着物を十分に吸引除去することが出来にくかった。従って、シート体表面を凹凸或は波型に形成し吸込具に対して柔軟に密着する構造にし掃除機の吸引力を落とすことなく布類の吸着を防ぎ前述の欠点を解決しようとするものである。
【課題を解決するための手段】
【０００５】  本発明は、掃除機の吸込具に対して、その吸引口の部分を覆うように密着する孔あきシート体の両端部に、この孔あきシート体を吸込具に対して着脱自在とするための係止具を設けた構成にして問題点を解決している。【０００６】  上記シート体は、吸込み具への巻着を柔軟にできる素材で構成され、シート中央部の吸込み口を覆う範囲を巻着方向に対して縦方向に１ｃｍ位の縦長の孔を並列し、吸込具に巻着した状態で、吸込具の上側で重なり合う両端部が吸込具の吸引管の接続部分を逃がす凹欠部を形成し、両シート端部の対向面に一対の係止具が形成されている。【０００７】  上記シート体の係止具は面ファスナーを使用するのが好ましい。【０００８】  上記シート体は、吸引口を覆う中央部と係止部を形成した端部とで構成しているが、同一素材で一体に形成してもよく、シート全体或は部分的に巻着方向に伸縮性を持たせてもよく、布類表面と吸込具の間の摩擦を少なくし滑りを良くするためシートの一部或は全体に波型などの凹凸部を形成しても良い。【０００９】  上記穴あきシート体を巻着した吸込具で各種布製品を掃除すると、掃除機の吸引力を極力損なうことなく吸込口に布地の表面が吸いつくのを防ぎ、表面の凹凸で滑りが確保でき、吸込具をスムーズに移動させることができ、布地の表面全体の付着物を簡単確実に吸込除去することができる。
【図面の簡単な説明】
【００１０】
【図１】  本発明の布類掃除用アタッチメントを吸込み具に装着した状態の姿図
【図２】  布類掃除用アタッチメントの展開した平面図
【図３】  布類掃除用アタッチメントの部分断面図
【発明を実施するための形態】
【００１１】  以下、本発明の実施の形態について説明する。
【００１２】  図１は本発明の布類掃除用アタッチメントを吸込み具に装着した状態の姿図である。
【００１３】  図２は布類掃除用アタッチメントの展開した平面図である。
【００１４】  図３は布類掃除用アタッチメントの部分断面図である。
【符号の説明】
【００１５】    １  布類掃除用アタッチメント
１ａ  シート中央部
１ｂ  シート端部
２  吸込管
３  吸込具
４  接続部分
５  係止具
６  係止具
７  孔
８  凹欠部
９  飾縁
Ａ  各種布製品
【図１】
2011083577.tif 000003
【図２】
2011083577.tif 000004
【図３】
2011083577.tif 000005
(57)【要約】【課題】艶出し効果、脱毛や毛髪の老化現象を抑制する効果のあるヘアブラシを提供する。【解決手段】  基材の表面ならびにその表面に植設している植毛の表面に、トルマリン粉末を含有している合成樹脂塗料を、吹き付け、浸漬、静電塗装などの手法で付着して付着層を形成したことを特徴とするヘアブラシ。【選択図】図２
2011083579.tif 000002
【特許請求の範囲】
【請求項１】
基材の表面ならびにその表面に植設している植毛の表面に、トルマリン粉末を含有している合成樹脂塗料を、吹き付け、浸漬、静電塗装などの手法で付着して付着層を形成したことを特徴とするヘアブラシ。
【請求項２】
基材の表面にマジックテープを貼着し、そのマジックテープのベース表面ならびにその表面に植設している植毛の表面に、トルマリン粉末を含有している合成樹脂塗料を、吹き付け、浸漬、静電塗装などの手法で付着して付着層を形成したことを特徴とするヘアブラシ。
【請求項３】
付着層を形成しているトルマリン粉末は粒径が１〜５ミクロンで、含有率が重量パーセントで４０から８０パーセントであることを特徴とする請求項１または請求項２記載のヘアブラシ。
【発明の詳細な説明】
【技術分野】
【０００１】本発明は人、あるいは犬等の動物に使用するヘアブラシの改良に関する。
【背景技術】
【０００２】従来合成樹脂で成型しているヘアブラシの植毛に、トルマリンを混入した構造は公知である。
トルマリンはマイナスイオンを発生するので、それが人間の頭皮や毛髪に与えることによって細胞の活性化を図り、脱毛の予防、細胞の劣化防止に役立つことが知られている。
【発明の概要】
【発明が解決しようとする課題】
【０００３】上記従来のヘアブラシの植毛は、ナイロン、その他合成樹脂からなる原料にトルマリンを混入して成型しているために、トルマリンの含有率は多くて２０パーセント程度である。
その理由はトルマリンの含有量が増えると植毛が所定の強度、硬度を保持できず、また生産性や成形性において弱点があるからである。【０００４】ところがトルマリンの含有量が少ないために、マイナスイオンの発生量が少なく、頭皮や毛髪に与える度合いも小さく初期の目的を達成するには不十分であった。
本発明者は鋭意、工夫を重ねて上記従来の欠点を解消している。
【課題を解決するための手段】
【０００５】その一は「基材の表面ならびにその表面に植設している植毛の表面に、トルマリン粉末を含有している合成樹脂塗料を、吹き付け、浸漬、静電塗装などの手法で付着して付着層を形成したことを特徴とするヘアブラシ」である。【０００６】その二は「基材の表面にマジックテープを貼着し、そのマジックテープのベース表面ならびにその表面に植設している植毛の表面に、トルマリン粉末を含有している合成樹脂塗料を、吹き付け、浸漬、静電塗装などの手法で付着して付着層を形成したことを特徴とするヘアブラシ」である。【０００７】その三は「上記それぞれの構成において、付着層を形成しているトルマリン粉末は粒径が１〜５ミクロンで、含有率が重量パーセントで４０から８０パーセントであることを特徴とするヘアブラシ」である。
【発明の効果】
【０００８】本発明のヘアブラシは基材の表面ならびにその表面に植設している植毛の表面にトルマリン粉末を含有した合成樹脂塗料を付着して付着層を形成していることによって、従来の樹脂成型体の植毛の中にトルマリンが混入、つまり埋没しているのに比較して、トルマリンが表面に露出状態となり、トルマリンの含有率が高くなっている。よってトルマリンのマイナスイオンは表面全体から多量に発生し、頭皮や毛髪に及ぼす度合いが高まり、艶出し効果があり、脱毛や毛髪の老化現象を抑制する効果がある。【０００９】さらにまた基材表面や植毛の材質が樹脂成型体でなく、マジックテープ［登録商標］、一般用語では面ファスナーのごとき繊維状体であれば、上記塗料の付着力が高まり、より一層の効果を発揮する。
【図面の簡単な説明】
【００１０】
【図１】本発明ヘアブラシの１実施例を示す斜視図。
【図２】図１の要部断面図。
【図３】本発明ヘアブラシの別の実施例を示す斜視図。
【図４】図３の要部断面図。
【発明を実施するための形態】
【００１１】本発明について実施例を図面を用いて説明する。
図１、図２において、１はヘアブラシで、２は基材、３は基材の表面に植設している植毛である。これら基材ならびに植毛は一体成型されるもの。あるいは別体で成型された基材に別体で成型された植毛を植設している。
４は基材２の表面に形成している付着層である。５は植毛３の表面に形成している付着層である。
これら付着層は予めトルマリン粉末を含有している合成樹脂塗料を用意し、この塗料を吹き付け、浸漬、静電塗装などの手法で基材の表面、ならびに植毛の表面に付着せしめることによって形成している。上記塗料は水溶系、溶剤系のいずれでもよい。基材や植毛の表面に付着すればよい。
【００１２】上記付着層を形成しているトルマリン粉末は粒径が１〜５ミクロンである。トルマリン粉末の含有率は重量パーセントで４０〜８０パーセントである。トルマリン粉末の含有量が多いほどトルマリンの効能、つまりマイナスイオンの発生量が増えるので効能が大であるが、基材や植毛への初期の付着力、持続性のある付着力を考慮すれば上記割合が好ましい。含有率が４０パーセント未満でも従来の２０パーセントに比較してマイナスイオンの発生量は大であり、効果がある。
【００１３】図３、図４は本発明ヘアブラシの別の実施例を示す。
６はヘアブラシで、７は発泡ポリエチレン製の基材である。この基材７の表面にマジックテープ８（登録商標）を、一般名称では面ファスナーを貼着している。そのマジックテープのベース表面８ａならびにその表面に植設している植毛８ｂの表面に、トルマリン粉末を含有している合成樹脂塗料を吹き付け、浸漬、静電塗装などの手法で付着して付着層９、１０を形成している。
【００１４】以上本発明のヘアブラシについて実施例をもって説明しているが、本発明の技術思想を逸脱しない範囲の設計変更は可能である。
【符号の説明】
【００１５】１      ヘアブラシ
２      基材
３      植毛
４      付着層
５      付着層
６      ヘアブラシ
７      基材
８      マジックテープ［面ファスナー］
８ａ    ベース表面
８ｂ    植毛
９      付着層
１０    付着層
【図１】
2011083579.tif 000003
【図２】
2011083579.tif 000004
【図３】
2011083579.tif 000005
【図４】
2011083579.tif 000006
(57)【要約】      （修正有）【課題】安く、軽く、作り易く、おしゃれにもよく、危険性が無く程々長持ちし、他の動作しながらケアできる、体健康器具を提供する。【解決手段】イヤリング材の玉をもう少し大きくして、ゴムバンドに付けると、伝導率の高い浸透性の有る活性化する良い響きが得られる。ヘアバンド２に１層玉１をきのこネジ３でバンドにはさんで丸い１つの玉とし、上方に櫛バンド８を３本を設ける。背中に用いる場合は、金具の傷み吸収材を乗せ、２層玉にすることで、保温強化にも使える。【選択図】図１−１
2011083583.tif 000002
【特許請求の範囲】
【請求項１】
ゴムバンド／ゴム・合成樹脂／を、ヘアーバンド、／名称マーがレット／の形にし、落ちない様、中程の内側に３本の櫛バンドを付け、両こめかみのこりに対応する場所に、浸透するように響く玉／イヤリング材、アルミ・しんちゅう・ラジウム加工、１層玉／を１個ずつつけ、こめかみ、頭の前上部、倒して下部と、１つで３つの役割を果す健康器具。頭は、電気も機械もダメな所で画期的。
【請求項２】
請求項１のバンドを少し幅広く、長めの長方形状にして、背中のこりに対応した内側に、弾性体の魂を、取り付け、端の出た所に、２層玉／請求項１の玉の上に、金具の痛みを取る材料、時計の上ブタ・他、等を乗せた玉／を取り付け、背中と脇のこりをほぐす健康器具。
【請求項３】
ゴムバンドの上にもうけた、小さな箱の側面に、とっ手を付け、細いゴムバンドを付け、つなげて、足の土ふまずの所に付け、箱内側に安全性の高い保温剤を貼り、少し固めのねずみ取り型の丸ゴムひもを少し丸めのボタン型の安手の１層玉の上部の輪に通して、左右から押さえ当て、保温を良くした保温器に少し盛り上ったフタを付け、足のこりをほぐすこともできる健康器具。
【発明の詳細な説明】
【技術分野】
【０００１】本発明は、主として、長方形のゴムバンドである弾性体の内面１、２ヶ所にちようどよい大きさの、イヤリング玉の上に、金具の傷み吸収材／時計の上ブタ・他／を乗せた２層玉又は１層玉と、櫛ゴムを取り付け、つぼに響かせて、こりのしんをほぐすものと、安手のボタン状態のイヤリングに、少し固めのゴムひもを通して、安全性の高い保温剤／貼るサッサ／の上に乗せ、ゴムバンドの上に乗せた、弾性体の箱に入れ、保温箱に、又、櫛ゴムを乗せた少し盛り上ったフタでケアもできる健康器具に関する。
【背景技術】
【０００２】従来、体のこりをほぐす方法としては、いろいろありますが、全体的にみて、お金と時間と手間がかり、もう一息の観がする。
2011083583.tif 000003
【特許文献１】特開２００５−２０４８０９号公報
【特許文献２】登実３０４８０８９号公報
【非特許文献１】地元情報紙／まいたうん／まいたうん新居浜本社出版、平成２１年５月２日、Ｐ１〜１。
【非特許文献２】ＤＨＣ（株）の通販の本／みんなげんき？／２００９  ９月号、Ｐ８６〜８６
【発明の開示】
【発明が解決しようとする課題】
【０００３】今までの商品は▲１▼高価、少し安いのも、すぐ消耗して割高。▲２▼手間と時間を費すのも多い。▲３▼こりのしんが、思う程取れない／一方通行／電気も機械も薬も規制があり程々。▲４▼ケアしている時、他の動作がしにくい。▲５▼ケアしながら保温できない。
【課題を解決するための手段】
【０００４】本発明は、今まで、かつて、聞いたことのない材料、イヤリング材を、もう少し大きく丸くして、（ゴム、合成樹脂等）バンドと組み合せると、体の弱電、血流、熱に伝導して、こりのつぼに良い反応があることを、発見、研究したものである。
今までの、熱・薬・物圧反応と一味ちがう浸透性によって、こりのしんが、当てるだけで、引き上り、広範囲に響き、しんがよく取れる。
活性化する。上に金具の傷み吸収材を乗せると、発火と細かさが、ミックスされ、後味すっきり、よくきいている。
安く出来、軽い。作り方も比較的楽。おしゃれにもよい。
危険性が無く程々長持ちする。他の動作しながらケアできる。
【発明の効果】
【０００５】美容と健康に良い
【発明を実施するための最良の形態】
【０００６】○玉は中の大位／響きの輪がちようど良い様にする。
○玉は体に当る所を丸く。／響いて、そそり上り易い形態。／又はキノコ型／
○イヤリング玉は、おもりと火付けになる。
○ゴムバンドがないと、そそり上りが悪い。
○ゴムバンドに、イヤリング材の先の丸い所に、金属の傷み吸収材／時計の上ブタ等／を乗せた、２層玉、又は、１層玉の組合せが、最良であるのは研究ずみである。
【実施例】
【０００７】    図１  マーがレツト
【産業上の利用可能性】
【０００８】
2011083583.tif 000004
他に関連する実施例としては、
○腕・足バンド○肩バンド○イヤリング○美容玉等。
▲１▼原価が安い。▲２▼安全性高い。▲３▼おしゃれ
2011083583.tif 000005
▲８▼商品の色としては、（例）こげ茶・黒青／エーゲ海の青い海の色がチラチラする。
【図面の簡単な説明】
【０００９】
【図１−１】マーがレツト。１層玉。きのこネジ２つでバンドをはさんで丸い１つの玉に。上方に櫛バンド３本。気が散らない。１個３役。全体的に丸い。／止まりやすい。／櫛バンドで上頭をケア。端が玉より長すぎないのは、じやまになり、後方に倒して、下頭をケアする時にもじやまになる為。上玉は、はずれそうな時、締める事が出来る。
【図２−１】板バンドに、弾性体の魂を付け、片方の端に、２層玉を付けた背バンド。脇もほぐせる。／まあまあの長さまで／
【図３−１】足箱を上から見た図。
【図３−２】足箱を開けた図。玉は伝導率が良い。
【図３−３】足箱の中のねずみとり型の少し固めのゴムひもと安手の少し金気のあるボタン型イヤリング材。下は貼るサツサ。保温強化で危くない。
【図３−４】ねずみ取り型で、下に酸素が入り、ゴムひもが温もる。ケア用の少し盛り上つた、櫛バンド３本付のフタを付けたところの足箱上ブタをパクッとはめ、脱着出来る。箱は１箱ですむ。
【符号の説明】１、下玉
２、ゴムバンド
３、上玉
４、ねじ
５、レール
６、Ｈくだ管の中に入っているゴムバンドの内側にあるネジ
７、ダンダンになつている穴
８、櫛バンド
９、弾性体の魂
１０、２を小箱にしたもの
１１、ゴムひも
１２、とっ手
１３、少し固めの底バンド
１４、空気穴
１５．小巻ちゃん／穴の保護、ほこり／
１６、貼るサツサ
１７、ボタン型のイヤリング材／安手、倒れる／
１８、少し固めで丸めのゴムひもバンド
１９、しめワツカ
２０、ゴムひも／細い／の縫い目／ブラジヤー状／
【図１−１】
2011083583.tif 000006
【図２−１】
2011083583.tif 000007
【図３−１】
2011083583.tif 000008
【図３−２】
2011083583.tif 000009
【図３−３】
2011083583.tif 000010
【図３−４】
2011083583.tif 000011
(57)【要約】      （修正有）【課題】断髪の際にクシの使用や毛髪を束ねる手間を省くことが可能な理美容鋏を提供する。【解決手段】理美容鋏の片方の刃１の先端上側に棒状突起２を設ける構造とする。適量の髪を鋏の背に乗せて上方運動させると、髪が棒状突起２に引っかかって持ち上げられることから、その後の下方運動の際に適量のカットをし易くなる。これによりカット時間が短縮でき、また手と毛髪の接触が少なくできることから衛生的であり、種々のスタイルの髪形を容易に形成することが可能になる。【選択図】図１
2011083582.tif 000002
【特許請求の範囲】
【請求項１】
理美容鋏の片方の刃（１）の先の上側に棒状（２）を設けた棒状つき理美容鋏。
【発明の詳細な説明】
【技術分野】
【０００１】この発明は鋏の片方の刃の先の上側に棒状をとりつけた棒状つき理美容鋏に関するものである。
【背景技術】
【０００２】従来は櫛を使うか又は片方の手で束ねた髪の毛をカットする分量に分けていた。
【発明の開示】
【発明が解決しようとする課題】
【０００３】従来のものでは次のような欠点があった。束ねた髪の毛を適量に分けてカットしていた故に労働時間が長くなっていた。本発明は以上のような欠点をなくすためになされたものである。
【課題を解決するための手段】
【０００４】１．  鋏の片方の刃（１）の先の上側に棒状（２）を設ける。
本発明は以上の構成よりなる棒状つき鋏である。
【発明の効果】
【０００５】適量の毛髪を鋏の背に乗せて上方運動すると棒状に引っかかって持ち上げられる。
その後の下方の運動の際に適量のカットをする。
この動作は連続可能であるからカット時間が短縮できまた手と毛髪の接触が少ないことで衛生的でありいろいろな髪形のスタイルが作成される。
【発明を実施するための最良の形態】
【０００６】以下、本発明を実施するための最良の形態について説明する。
鋏の片方の刃（１）の先の上側に棒状（２）のものをつける。本発明は、以上のような構造である。これを使用する時は棒状によって適当な髪の量や長さのカットが自在に出来、多様な髪形が出来上がると同時に時間の短縮にもなる。
【図面の簡単な説明】
【０００７】
【図１】本発明の側面図である。
【符号の説明】
【０００８】１．理美容鋏（カット鋏  スキ鋏）
２．棒状
【図１】
2011083582.tif 000003
(57)【要約】【課題】    簡単に何処へでも持ち歩きながら出先で手軽に使用できる芳香剤入りの気泡シートを提供する。【解決手段】  方形状の台紙の表面に液体の芳香剤を複数並べ、各々の芳香剤を密閉するように表面を柔軟な薄い薄膜フイルム被覆したことを特徴とする芳香剤入りシート。【選択図】図１
2011083581.tif 000002
【特許請求の範囲】
【請求項１】
方形状の台紙の表面に液体の芳香剤を複数並べ、各々の芳香剤を密閉するように表面を柔軟な薄い薄膜フイルム被覆したことを特徴とする芳香剤入り気泡シート。
【発明の詳細な説明】
【技術分野】
【０００１】この発明は、簡単に何処へでも持ち歩きが出来る芳香剤入り気泡シートに関するものである。
【背景技術】
【０００２】従来、体に付ける芳香剤はアトマイザーを使用するか、指先に付けて耳たぶの裏に付けていた。又、芳香剤容器に収容された香水の蒸発漏洩を適切に制御する空気圧式の香水噴霧器が知れている。（特許文献１）
【先行技術文献】
【０００３】
【特許文献１】  特開平１０−１２７３３７号
【発明の概要】
【発明が解決しようとする課題】
【０００４】  従来の芳香剤を身体に付ける方法には次のような欠点があった。
イ）  身体に付けるときは、アトマイザーで吹き付けるか指先に付けて他人の目に触れないように付けていた。
ロ）  外で付けるときは、化粧室、又は、他人に見られないところで付けていた。
ハ）  化粧室で付けるときなどは芳香剤の霧が飛んでくるので他人に迷惑をかけていた。
ニ）  特に男性がつけるときは、家で付けてくる以外、外で付けることが大変な苦労があった。
本発明は、以上のような欠点をなくす為になされたものである。
【課題を解決するための手段】
【０００５】イ）  気泡シートの中に、芳香剤を封入し密閉した。ものである。
本発明は、以上の構成によりなる芳香剤入り気泡シートである。
【発明の効果】
【０００６】外出先でも他人に迷惑をかけずに、又、場所を選ばずポケットの中でも使用可能である。
【図面の簡単な説明】
【０００７】
【図１】  本発明の正面図
【図２】  本発明の断面図
【発明を実施するための形態】
【０００８】以下、本発明を実施するための形態について説明する。
硬質樹脂又は紙質などからなる方形状の台紙（１）の表面に、液体の芳香剤（２）を点滴状に複数並べて置き、芳香剤（２）を覆うように台紙（１）の表面を柔軟な薄い薄膜フイルム（３）で被覆する。芳香剤（２）を台紙（１）と薄膜フイルム（３）で密閉するように芳香剤（２）の周囲に密閉壁（４）を設ける。
本発明は、以上よりなる芳香剤入り気泡シートである。
本発明は、以上のような構造である。本発明を使用するときは、薄膜フイルム（３）の上を指で押圧することにより、薄膜フイルムが破れて、内部の芳香剤（２）は指に付着する。指先に付着した芳香剤を体に付ける。なお、気泡シートには芳香剤が密閉壁で密封された状態で複数並んでいるので、芳香剤の数量だけ使用できる。
【符号の説明】
【０００９】１  台紙
２  芳香剤
３  薄膜フイルム
４  密閉壁
【図１】
2011083581.tif 000003
【図２】
2011083581.tif 000004
(57)【要約】【課題】携帯電話器と肩との間に収納ケースを介在させる事によって携帯電話器を肩と耳との間に挟んでも肩や首の疲れが生じない様にすること。【解決手段】携帯電話器６を収納する収納ケースＡにこの収納ケースＡを携帯電話器６に固定する固定具５を備え、これにより携帯電話器６と肩との間に固定具５により固定された収納ケースＡを介在させて携帯電話器６を肩と耳との間に挟んで使用する様にした。【選択図】図１
2011083584.tif 000002
【特許請求の範囲】
【請求項１】
携帯電話器を収納する収納ケースにこの収納ケースを携帯電話器に固定する固定具を備え、これにより携帯電話器と肩との間に前記固定具により固定された収納ケースを介在させて携帯電話器を肩と耳との間に挟んで使用する様にした携帯電話器の収納ケース。
【発明の詳細な説明】
【技術分野】
【０００１】
2011083584.tif 000003
を軽減する為の収納ケースの構造に関するものである。
【背景技術】
【０００２】  両手がふさがっている時（メモを取る時、両手に物を持っている時など）、携帯電話器を使用する方法としてこれを肩と耳との間に挟んで通話する方法がある。しかしこれには首を曲げたり肩を上げたりする必要があり、肩や首が疲れると云う問題点がある。
【発明の開示】
【発明が解決しようとする課題】
【０００３】  本発明の目的は、携帯電話器と肩との間に収納ケースを介在させる事によって携帯電話器を肩と耳との間に挟んでも肩や首の疲れが生じない様にするところにある。
【課題を解決する為の手段】
【０００４】  本発明は上記目的を達成する為、携帯電話器を収納する収納ケースにこの収納ケースを携帯電話器に固定する固定具を備え、これにより携帯電話器と肩との間に固定具により固定された収納ケースを介在させて携帯電話器を肩と耳との間に挟んで使用する様にした。
【発明の効果】
【０００５】  本発明によれば携帯電話器と肩との間に固定具（吸盤など）により携帯電話器に固定された収納ケースを介在させて携帯電話器を肩と耳との間に挟んで使用する様にしたので、従来の様に首を曲げたり肩を上げたりする必要がなく。その為、首や肩の疲れを生じない。従って、両手がふさがっている時に、上記使用法を行なっても首や肩が疲れる事がなく、便利である。
【発明を実施する為の最良の形態】
【０００６】  図１は本発明による携帯電話器の収納ケースを示し、先ず図１（イ）においてＡは収納ケースで、内部に携帯電話器を収納する空間がある。１は収納ケースＡに適当な剛性を与える為の芯ケースで（例えばプラスチック製）、その囲りは外側も内側も外観に美しさを与える美麗素材２（布地、皮革等）で覆われている（美麗素材２に適当な剛性があるものを使えば、芯ケース１は必要不可欠なものではない）。３は蓋で、例えば布地の様なものを使い、十分な柔軟さと美麗さを備えている。この場合、Ｂ矢視図を示した図１（ロ）の様に蓋３を動物を模した形にするなどの商品性を高める工夫をすると良い（全体を動物の様な形としても良い）。４は蓋３を閉めておく為の面ファスナーで、この実施例では蓋３は固定具５（吸盤）までも覆う様にしてある（もちろん固定具５を覆う専用の蓋を備えても良い）。面ファスナー４を外して蓋３を開けば、収納ケースＡに収納された携帯電話器を取り出す事ができる。５は収納ケースＡを携帯電話器に固定する為の固定具で、図では吸盤を使用している。次に使い方を説明すると、面ファスナー４を外して、蓋３を開いて内部に収納された携帯電話器を取り出し、むき出しになった固定具５（吸盤）を図１（ハ）の様に携帯電話器６の所定部に押し付け、収納ケースＡを固定する。こうすると図１（ニ）の様に携帯電話器６と肩（人体の肩）との間に収納ケースＡを介在させて携帯電話器を肩と耳との間に挟んで通話する事になるので、図１（ハ）の高さＨが有効に働らき、首を殆ど曲げる事なく通話する事ができる。通話後は固定具５を外して収納ケースＡを取り外し、携帯電話器６を収納ケースＡに収納して蓋３を閉めておく。尚、収納ケースＡに輪状の紐を繋ぎ、この紐を首に掛けて収納ケースＡを胸ポケットなどに入れて携行しても良い。図１（ハ）において固定具５は収納ケースＡの側面７に備え、高さＨを増すが如く携帯電話器６に収納ケースＡを固定する様にしても良い。携帯電話器は一般には折り畳み式となっているが、図２（イ）は固定具５を画面側の方に固定したものである。図２（ロ）は固定具５を吸盤ではなく、携帯電話器に通して固定する通し輪式固定具８としたものである。この他、固定具としては携帯電話器に挟んで固定するクリップ式固定具を考えられる。尚、固定具５は収納ケースＡの取り出し口側に備えても良い。
【０００７】  図３（イ）は介在物９が肩や首の疲れを軽減させるに足る所定の高さｈを有する様にしたもので、介在物９（花や動物などの気に入った形の立体物）を普段はアクセサリーとして紐１１により携帯電話器に結び付けておき、携帯電話器６を使用する時は、これを固定具１０（例えば吸盤）で電話器に固定して肩と耳との間に挟んで通話するのである。介在物９の高さｈが５ｃｍもあれば肩や首の疲れが大幅に軽減され、８ｃｍあれば殆ど首を曲げずに通話する事ができる。図３（ロ）はゴムなどの高摩擦性を有する摩擦材１２（シート状で、花や動物などの気に入ったデザインの絵柄で、１〜３ｍｍ位の厚さとする）を予め接着剤により携帯電話器６に接着させておく様にしたものである。こうすると両手がふさがっている時は、携帯電話器６を肩と耳との間に挟んで通話する事になるが、軽く挟んでも摩擦材１２の高摩擦力により携帯電話器の落下事故を防ぐ事ができる。その結果、肩や首の疲れが軽減される。
尚、図３（イ）の介在物９は高摩擦性を有する材料で作る必要は必ずしもない。又、図３（イ）においては固定電話器の受話器にも同様に実施する事ができる。これを図３（ハ）に示すが、固定電話器であるから、常に介在物９を固定しておく様にしても良い（接着剤により固定しておいても良い）。
【図面の簡単な説明】
【０００８】
【図１】  本発明による携帯電話器の収納ケースを示す図。
【図２】  本発明による携帯電話器の収納ケースの各種実施例を示す図。
【図３】  肩や首の疲れを軽減させる介在物を備えた電話器を示す図。
【符号の説明】  １は芯ケース、２は美麗素材、３は蓋、４は面ファスナー、５・８・１０は固定具、６は携帯電話器、７は側面、９は介在物、１１は紐、１２は摩擦材、Ａは収納ケースである。
【図１】
2011083584.tif 000004
【図２】
2011083584.tif 000005
【図３】
2011083584.tif 000006